(57)【要約】【課題】通話する際に利用されるユーザインターフェース部が手や指で覆われてしまうことにより、通話への支障が生じるリスクを低減させること。【解決手段】通話する際に利用されるユーザインターフェース部と、通話中であるか否かを判定する判定部と、通話中であると判定部が判定した場合に、ユーザインターフェース部を覆わないよう警告する１以上の警告部とを備える。【選択図】図１
2013219566.tif 000002
【特許請求の範囲】
【請求項１】
通話する際に利用されるユーザインターフェース部と、
通話中であるか否かを判定する判定部と、
通話中であると前記判定部が判定した場合に、前記ユーザインターフェース部を覆わないよう警告する１以上の警告部と
を備える携帯情報端末。
【請求項２】
一の前記警告部は、前記ユーザインターフェース部を覆わないよう警告すべくメッセージを表示する
請求項１に記載の携帯情報端末。
【請求項３】
一の前記警告部は、前記ユーザインターフェース部を覆わないよう警告すべく音声を出力する
請求項1又は２に記載の携帯情報端末。
【請求項４】
一の前記警告部は、前記ユーザインターフェース部を覆わないよう警告すべく発光する
請求項１から３のいずれか一項に記載の携帯情報端末。
【請求項５】
一の前記警告部は、前記ユーザインターフェース部を覆わないよう警告すべく振動する
請求項１から４のいずれか一項に記載の携帯情報端末。
【請求項６】
前記ユーザインターフェース部の近傍に設けられて、前記判定部が通話中であると判定した場合に発光する発光部
を更に備える請求項１から５のいずれか一項に記載の携帯情報端末。
【請求項７】
前記ユーザインターフェース部が覆われた場合に、それを検知する検知部と、
前記ユーザインターフェース部が覆われたことを前記検知部が検知した場合に、前記ユーザインターフェース部が覆われていることを通知する通知部と
を更に備える請求項１から６のいずれか一項に記載の携帯情報端末。
【発明の詳細な説明】
【技術分野】
【０００１】
本発明は、携帯情報端末に関する。
【背景技術】
【０００２】
携帯情報端末には、ハンズフリー通話やテレビ電話等の通話機能を備えているものがある。また、携帯情報端末には、通話機能の他に、電子メールやショートメッセージサービス等のメール機能、スケジュール帳や電話帳、メモ帳等の電子手帳機能、Ｗｅｂブラウザ機能等を備えているものもある。また、携帯情報端末には、大画面ディスプレイやタッチパネルを備えているものもある。
【０００３】
このような携帯情報端末の多機能化に伴い、ユーザは、通話機能以外の機能を利用しながら通話するようなこともある。また、ユーザは、ビデオ通話機能を利用する際に、通話相手の画像を確認しながら通話を行ったり、こちらの状態を携帯情報端末内蔵のカメラで撮影しながら通話を行ったりすることもある。
【０００４】
このような背景に関連する技術には、様々なものが知られている（例えば、特許文献１〜３参照。）。
【０００５】
例えば、特許文献１には、着信時に和音メロディーの鳴動を行う携帯電話の着信音パターン自動変更方法が記載されている。より具体的に説明すると、先ず、この方法は、着信時に和音メロディーをスピーカーから鳴動する。そして、この方法は、和音メロディーを構成する主旋律、副旋律に分割し、主旋律と副旋律が重畳した場合スピーカーへの入力信号がスピーカーの定格入力を超過しないように形成した主旋律、副旋律をメモリに記憶する。そして、この方法は、和音メロディーの鳴動を案内するスピーカーの音孔部の周囲に位置し、スピーカーの音孔部を防ぐ遮蔽物に接触してこれをタッチセンサで感知する。そして、この方法は、着信時にタッチセンサから遮蔽物でスピーカー音孔部を塞ぐ感知信号を入力した場合にはメモリからの結合した主旋律と副旋律の和音メロディーの鳴動から単独の主旋律の鳴動に着信音パターンを変更する。そして、この方法は、変更した主旋律のスピーカーへの入力信号がスピーカーの定格入力となるようにする。このようにして、この方法によっては、着信音の明瞭性を高め、使用者に確実に着信状態であることを報知することが可能になる。
【０００６】
また、例えば、特許文献２には、公衆通信回線に有線接続された親機と無線通信を行うことにより公衆通信回線に対する発呼、着呼を行うか、又は無線通信を行うことにより公衆通信回線に対して直接に発呼、着呼を行うカメラ付無線電話機が記載されている。より具体的に説明すると、先ず、この装置は、被写体の画像を認識する。そして、この装置は、認識した画像がディスプレイの画面の所定範囲内にあるか否かを判定する。そして、この装置は、所定範囲内にあると判定したときには所定範囲内にあることを通知すると共に所定範囲内にないと判定したときには所定範囲内にないことを通知する。このようにして、この装置によっては、自画像のディスプレイ画面からの逸脱や欠けを迅速にユーザに通知することができる。
【０００７】
また、例えば、特許文献３には、受話器と、スピーカーと、受話器の一方の側に向けられたカメラと、スピーカーが耳に対面する状態でのユーザの画像である適正位置画像に応じた適正位置情報を記憶する記憶部とを備える電話機の位置補正方法が記載されている。より具体的に説明すると、先ず、この方法は、ユーザによる受話器の使用時にカメラで撮影されるユーザの画像である使用時画像に応じた使用時位置情報と、記憶部によって記憶された適正位置情報とを比較する。そして、この方法は、比較結果に基づいて、ユーザに対して耳に対する受話器の位置を補正させる旨の指示を行う。このようにして、この方法によっては、スピーカーの位置をユーザの耳の位置に容易に合わせることができる。
【先行技術文献】
【特許文献】
【０００８】
【特許文献１】特許第３４８１５５０号公報
【特許文献２】特開２００４−３６４０８９号公報
【特許文献３】特開２０１１−２０５２５６号公報
【発明の概要】
【発明が解決しようとする課題】
【０００９】
携帯情報端末のユーザは、通話機能以外の機能を利用しながら通話するにあたり、ディスプレイを視ながら携帯情報端末の操作を行うことがあるが、その際に、マイクロフォンやスピーカーを、手や指で覆ってしまうことがある。しかしながら、通話中にマイクロフォンやスピーカーが覆われた場合には、ユーザも通話相手も相互に音声が聞き取りづらくなり、音声コミュニケーションが困難となってしまう。
【００１０】
本発明の目的は、上述した課題を解決する携帯情報端末を提供することにある。
【課題を解決するための手段】
【００１１】
上記課題を解決するために、本発明の第１の形態によると、通話する際に利用されるユーザインターフェース部と、通話中であるか否かを判定する判定部と、通話中であると判定部が判定した場合に、ユーザインターフェース部を覆わないよう警告する１以上の警告部とを備える。
【００１２】
なおまた、上記の発明の概要は、本発明の必要な特徴の全てを列挙したものではない。また、これらの特徴群のサブコンビネーションもまた、発明となり得る。
【発明の効果】
【００１３】
以上の説明から明らかなように、この発明によっては、通話する際に利用されるユーザインターフェース部が手や指で覆われてしまうことにより、通話への支障が生じるリスクを低減させることができる。
【図面の簡単な説明】
【００１４】
【図１】一実施形態に係る携帯電話１００のブロック構成の一例を示す図である。
【図２】本発明の携帯電話の外観イメージ図である。
【図３】本発明の処理動作を示すフローチャート図である。
【図４】本発明の処理動作を示すフローチャート図である。
【図５】本発明の処理動作を示すフローチャート図である。
【図６】ユーザへの通知画面の表示例である。
【図７】ユーザへの通知画面の表示例である。
【図８】ユーザへの通知画面の表示例である。
【図９】ユーザへの通知画面の表示例である。
【図１０】ユーザへの通知画面の表示例である。
【発明を実施するための形態】
【００１５】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００１６】
図１は、一実施形態に係る携帯電話１００のブロック構成の一例を示す。携帯電話１００は、無線通信を利用した、持ち歩ける電話機である。なおまた、携帯電話１００は、この発明における「携帯情報端末」の一例であってよい。
【００１７】
携帯電話１００は、無線通信送受信部１１０、音声入出力部１２０、状態検出部１３０、表示操作部１４０、リアルタイムクロック１５０、発光ダイオード１６０、バイブレータ１７０、カメラ１８０、電源１９０、ＲＯＭ（Ｒｅａｄ  Ｏｎｌｙ  Ｍｅｍｏｒｙ）２００、及びＲＡＭ（Ｒａｎｄｏｍ  Ａｃｃｅｓｓ  Ｍｅｍｏｒｙ）を備える。なおまた、マイクロフォン１２１、レシーバー１２２、スピーカー１２３、及びカメラ１８０は、この発明における「ユーザインターフェース部」の一例であってよい。また、制御部２２０は、この発明における「判定部」の一例であってよい。また、スピーカー１２３、タッチパネル１４１、発光ダイオード１６０、及びバイブレータ１７０は、この発明における「警告部」、「通知部」の一例であってよい。また、発光ダイオード１６０は、この発明における「発光部」の一例であってよい。また、状態検出部１３０は、この発明における「検知部」の一例であってよい。
【００１８】
無線通信送受信部１１０は、通話や通信に必要なデータを、無線にて送受信するための装置である。
【００１９】
音声入出力部１２０は、マイクロフォン１２１、レシーバー１２２、及びスピーカー１２３を有する。マイクロフォン１２１は、通話の際に、音声を取り込む装置である。レシーバー１２２は、無線通信送受信部１１０を介して受信した通話相手の音声を出力する装置である。スピーカー１２３は、アラーム音鳴音や、スピーカーフォン機能が使用されているときの通話相手の音声を出力する装置である。
【００２０】
状態検出部１３０は、音声入出力部１２０が覆われていないかを検出するセンサーである。
【００２１】
表示操作部１４０は、タッチパネル１４１、及びキー１４２を有する。タッチパネル１４１は、ユーザの操作を圧力で検出するディスプレイである。キー１４２は、一つ一つのボタンである。
【００２２】
リアルタイムクロック１５０は端末内の時間計測を行う計時機能を備えている。
【００２３】
制御部２２０はユーザ操作に応じたキー受け付けの判別処理や、画面表示制御や、ユーザ操作による設定変更への対応処理等を行うコンピュータである。発光ダイオード１６０の点灯や、バイブレータ１７０の振動鳴動の制御もこの制御部２２０が行う。カメラ１８０で撮影した画像情報はＲＡＭ２１０内の情報記憶部２１１に記憶可能であり、表示操作部１４０のタッチパネルからのユーザ操作を受ければ、制御部２２０の制御により、情報記録部から読みだした撮影画像情報をＬＣＤ画面に表示させることもできる。ＲＯＭ２００には、本携帯電話の基本プログラムを記憶している。また、電源１９０は本発明の携帯電話の各ブロックへの電源供給を行う。
【００２４】
図２は、本発明の携帯電話の外観イメージである。表示操作部１４０のタッチパネル１４１は端末正面中央部に配置されており、ほとんどの端末操作はこのタッチパネル１４１を介して行われる。また、このタッチパネル１４１の下部に３個のキー１４２を配置しており、メインメニュー画面に戻る等の基本的な機能がこのキーに割り当てられている。端末正面の上端に配置されているレシーバー１２２は端末を耳に当てての音声通話をする際に利用される音声出力装置である。このレシーバー１２２の右隣に配置されているカメラ１８０は、ビデオ通話を行う際の画像撮影に使用可能である。このレシーバー１２２のさらに奥、端末上部の背面近くには、スピーカー１２３が配置されておりスピーカーフォン（ハンズフリー）機能オン時やビデオ通話時の相手側音声はこのスピーカー１２２から出力される。端末の下端には音声入力装置であるマイクロフォン１２１を配置している。本実施例では、レシーバー１２２とマイクロフォン１２１のすぐ脇に、これらの装置が手や指等で覆われていないかを検出可能な、タッチセンサを状態検出部１３０として配置している。
【００２５】
次に、本発明の実施例の動作について説明する。図３は本発明の処理フローを示したフローチャートである。
【００２６】
ユーザ自身の発信操作または、通話相手からの着信受信の操作により、通話を開始する際に、携帯情報端末では、まずはステップＳ１０１にてビデオ通話モードであるかどうかを判別する。ビデオ通話でなく、音声通話である場合には、ステップＳ１０３にてスピーカーフォンでの通話となるかどうかを判定する。スピーカーフォン通話（スピーカーフォンオン）となる場合には、スピーカー１２３を使用するように装置設定制御を行う（Ｓ１０４）。一方、スピーカーフォン通話（スピーカーフォンオフ）となる場合には、レシーバー１２２を使用するように装置設定制御を行う（Ｓ１０６）。ステップＳ１０５、Ｓ１０６での設定処理の際、同時にマイクロフォンのミュート機能オン／オフの設定状況確認とその確認結果に応じたマイクロフォン入力音量設定の制御も行う。
【００２７】
ここで、ステップＳ１０１の判定結果が、ビデオ通話であった場合だが、カメラ１８０によるユーザ撮影を行うため、ステップＳ１０２にてカメラ機能の有効化処理を行うように制御している。ビデオ通話においては、カメラ１８０でユーザの顔画像を撮影し、さらに相手側画像をメインスクリーンであるタッチパネル１４１にて確認するため携帯情報端末１００を正面に構える通話スタイルをとる。そのため、相手側音声出力はスピーカー１２３より出力することになるので、音声通話はスピーカーフォンで行う制御としている。よって、スピーカーフォン通話時と同じくステップＳ１０４の処理を行う。
【００２８】
スピーカーフォン通話の場合には、ステップＳ１０４に続くステップＳ１０５において、マイクロフォン１２１やスピーカー１２３の位置を画像表示にて案内しユーザのご操作注意喚起を促すガイド画面を表示する。それと同時に、ユーザが端末内蔵マイクロフォン１２１の位置をよりスムーズに把握できるように、マイクロフォン１２１脇に設けた発光ダイオード１６０を所定時間の間点灯させる制御を行う。音声通話＆スピーカーフォンオフ時の表示画面例を図４（ａ）、図４（ｂ）、図４（ｃ）に示す。
【００２９】
通話開始後は、ステップＳ１０８にてキー入力／通話状況およびに、入出力部覆われ状態の確認を適宜行う。また検出情報から、スピーカーフォンのオン／オフ変更やミュートオン／オフ設定の切り替え操作がないか判定する（Ｓ１０９）。また、ビデオ通話と音声通話のモード変更がないか判定する（Ｓ１１０）。また、ユーザの終話ボタン押下による終話操作や、通話相手からの通話切断等がないか判定する（Ｓ１１１）。また、マイクロフォン１２１、レシーバー１２２、カメラ１８０等の入出力部が覆われていないか判定する（Ｓ１１２）。
【００３０】
ステップＳ１０９にてモード変更が検出された場合には、スピーカーフォンのオン／オフ切り替えを行う（Ｓ１０４またはＳ１０６）。そのモード変更がスピーカーフォンオフからオンへの変更である場合には、通話中であっても、ステップＳ１０５の音声入出力部の位置案内画面表示、マイクロフォン位置のＬＣＤ点灯によるガイド案内を行う制御としている。この制御により、例えば通話開始当初に、スピーカーフォンで音声通話をしていたユーザが、途中からスピーカーフォンによる通話に切り替える際に、音声入出力部の配置位置を正しく把握することができる。このようにして、うっかりマイクロフォン１２１を覆ってしまい会話が成立しなくなる等の不便を回避することができる。
【００３１】
また、ステップＳ１１２にて入出力部が覆われている状態を検出した場合には、ユーザに覆われ状態の通知を行う。例えば、スピーカーフォンでの音声通話中にマイクロフォン覆われ状態を検出した場合には図４（ｄ）の通知画面を表示する。また、ビデオ通話中にカメラ覆われ状態を検出した場合には、図４（ｅ）の通知画面を表示する（本実施例では詳細な説明は割愛するが、ステップＳ１１２でのカメラ覆われ状態の検出は、カメラ撮影画像の解析により追加装置なしで可能である）。
【００３２】
本実施例では画面表示による通知を例に説明したが、カメラ覆われ検出の通知や、覆われ防止の案内表示は、アラーム鳴音や、「マイクロフォン位置にご注意ください」といった録音／合成音声、ＬＣＤ点滅、バイブレータ振動等を併用することもできる。
【００３３】
本発明によれば、ユーザは音声入出力部、画像入出力部を利用して通信を行う際に、ユーザが音声入出力部の位置の案内通知を受けることができるため、音声入出力部を手や指で覆ってしまい通話に支障を与えるリスクを低減することができる。また、本発明で状態検出部を備えた場合には、ユーザが意図せずにうっかり音声入出力部を覆ってしまった場合にも、端末からの注意喚起を受けて、誤操作状態の短時間化を図れるため、コミュニケーションエラーの発生リスクを縮小化できる。さらに、音声入出力部の位置案内機能により、正しい音声入出力部の配置場所を確認することができる為、ユーザは安心して通話機能を利用することが可能となる。
【００３４】
以上、本発明を実施の形態を用いて説明したが、本発明の技術的範囲は、上記実施の形態に記載の範囲には限定されない。上記実施の形態に、多様な変更、又は改良を加えることが可能であることが当業者に明らかである。そのような変更、又は改良を加えた形態も本発明の技術的範囲に含まれ得ることが、特許請求の範囲の記載から明らかである。
【００３５】
特許請求の範囲、明細書、及び図面中において示した装置における動作、手順、ステップ、及び段階等の各処理の実行順序は、特段「より前に」、「先立って」等と明示していない。また、前の処理の出力を後の処理で用いるのでない限り、任意の順序で実現し得ることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００３６】
１００  携帯電話
１１０  無線通信送受信部
１２０  音声入出力部
１２１  マイクロフォン
１２２  レシーバー
１２３  スピーカー
１３０  状態検出部
１４０  表示操作部
１４１  タッチパネル
１４２  キー
１５０  リアルタイムクロック
１６０  発光ダイオード
１７０  バイブレータ
１８０  カメラ
１９０  電源
２００  ＲＯＭ
２１０  ＲＡＭ
２１１  情報記憶部
２２０  制御部
【図１】
2013219566.tif 000003
【図２】
2013219566.tif 000004
【図３】
2013219566.tif 000005
【図４】
2013219566.tif 000006
【図５】
2013219566.tif 000007
【図６】
2013219566.tif 000008
【図７】
2013219566.tif 000009
【図８】
2013219566.tif 000010
【図９】
2013219566.tif 000011
【図１０】
2013219566.tif 000012